(57)【特許請求の範囲】
【請求項１】
データを複数の記録媒体に分割記録する為、前記データを分割して、順序関係のある複数の部分データを作成する分割手段と、
前記部分データが記録される記録媒体ごとに代表画像を生成する代表画生成手段と、
前記代表画生成手段で生成した代表画像を用いて、前記記録媒体の表面にプリントするプリントデータを生成するプリントデータ生成手段とを有し、
前記代表画生成手段によって、一の記録媒体に対して生成される代表画像は、前記一の記録媒体とは異なる記録媒体に記録される部分データであって前記一の記録媒体に記録される部分データの前又は後の部分データの少なくともいずれかから生成された縮小画像と、前記一の記録媒体に記録される部分データを用いて生成された縮小画像とを含むことを特徴とする情報処理装置。
【請求項２】
前記部分データごとに異なる記録媒体にデータを記録する記録手段を有することを特徴とする請求項１に記載の情報処理装置。
【請求項３】
前記データは日時データに基づき分割され、前記分割された部分データは、日時データに基づく順序関係を有することを特徴とする請求項１または２に記載の情報処理装置。
【請求項４】
前記前の部分データ及び前記後ろの部分データから生成される代表画像は、前記前の部分データ及び前記後ろの部分データの中からそれぞれ前記一の記録媒体に記録される部分データにもっとも近い日時データを有するデータから生成されることを特徴とする請求項１ないし３のいずれか１項に記載の情報処理装置。
【請求項５】
前記前の部分データから生成される代表画像には、前記前の部分データが記録される記録媒体を示す情報を合成し、前記後ろの部分データから生成される代表画像は、前記後ろの部分データが記録される記録媒体を示す情報を合成することを特徴とする請求項１ないし４のいずれか１項に記載の情報処理装置。
【請求項６】
全代表画像のうちの最初の代表画像及び最後の代表画像には、特定の情報を合成することを特徴とする請求項１ないし５のいずれか１項に記載の情報処理装置。
【請求項７】
データを複数の記録媒体に分割記録する為、前記データを分割して、順序関係のある複数の部分データを作成する分割工程と、
前記部分データが記録される記録媒体ごとに代表画像を生成する代表画生成工程と、
前記代表画生成工程で生成した代表画像を用いて、前記記録媒体の表面にプリントするプリントデータを生成するプリントデータ生成工程とを有し、
前記代表画生成工程によって、一の記録媒体に対して生成される代表画像は、前記一の記録媒体とは異なる記録媒体に記録される部分データであって前記一の記録媒体に記録される部分データの前又は後の部分データの少なくともいずれかから生成された縮小画像と、前記一の記録媒体に記録される部分データを用いて生成された縮小画像とを含むことを特徴とする情報処理方法。
【請求項８】
前記部分データごとに異なる記録媒体にデータを記録する記録工程を有することを特徴とする請求項７に記載の情報処理方法。
【請求項９】
前記データは日時データに基づき分割され、前記分割された部分データは、日時データに基づく順序関係を有することを特徴とする請求項７または８に記載の情報処理方法。
【請求項１０】
前記前の部分データ及び前記後ろの部分データから生成される代表画像は、前記前の部分データ及び前記後ろの部分データの中からそれぞれ前記一の記録媒体に記録される部分データにもっとも近い日時データを有するデータから生成されることを特徴とする請求項７ないし９のいずれか１項に記載の情報処理方法。
【請求項１１】
前記前の部分データから生成される代表画像には、前記前の部分データが記録される記録媒体を示す情報を合成し、前記後ろの部分データから生成される代表画像は、前記後ろの部分データが記録される記録媒体を示す情報を合成することを特徴とする請求項７ないし１０のいずれか１項に記載の情報処理方法。
【請求項１２】
全代表画像のうちの最初の代表画像及び最後の代表画像には、特定の情報を合成することを特徴とする請求項７ないし１１のいずれか１項に記載の情報処理方法。
【請求項１３】
データを複数の記録媒体に分割記録する為、前記データを分割して、順序関係のある複数の部分データを作成する分割工程と、
前記部分データが記録される記録媒体ごとに代表画像を生成する代表画生成工程と、
前記代表画生成工程で生成した代表画像を用いて、前記記録媒体の表面にプリントするプリントデータを生成するプリントデータ生成工程とをコンピュータに実行させることを特徴とするプログラムであって、
前記代表画生成工程によって、一の記録媒体に対して生成される代表画像は、前記一の記録媒体とは異なる記録媒体に記録される部分データであって前記一の記録媒体に記録される部分データの前又は後の部分データの少なくともいずれかから生成された縮小画像と、前記一の記録媒体に記録される部分データを用いて生成された縮小画像とを含むようにする処理をコンピュータに実行させることを特徴とするプログラム。
【請求項１４】
請求項１３に記載のプログラムを記憶したことを特徴とするコンピュータ読み取り可能な記憶媒体。
【発明の詳細な説明】
【技術分野】
【０００１】
本発明は記録媒体の容量に比して大容量のデータを、複数の部分データに分割して、複数の記録媒体に記録する場合のデータ処理を行う情報処理装置に関する。
【背景技術】
【０００２】
従来、画像データ列ごとに代表静止画像を生成する方法として、メモリカードに記録された画像データ列をＤＶＤなどに記録媒体にバックアップする。そして、その後に、バックアップした画像データ列の内容をＤＶＤなどの記録媒体のレーベル面にレーベル印刷する方法により、記録媒体にどのような画像データが入っているか、ユーザに容易に認識できるようにする方法がある（例えば、特許文献１を参照）。
【０００３】
前記特許文献１にて提案された印刷装置は、印刷装置に着脱される第１の記録媒体に記録された画像データを読み込む画像読込手段。前記第１の記録媒体と異なる第２の記録媒体に、前記読み込んだ画像データをバックアップするバックアップ手段。前記読み込んだ各画像データが表す画像をインデックス状に配置したインデックスシートを印刷するインデックス印刷手段とを備えている。
【０００４】
そして、外部記憶装置に画像データをバックアップした際に、バックアップ先の記録媒体が複数となった場合に、どの記録媒体に対してどの画像データをバックアップしたかを把握できるようにしている。
【０００５】
【特許文献１】特開２００６−２２４６６５号公報
【発明の開示】
【発明が解決しようとする課題】
【０００６】
しかし、現在ＨＤＤビデオカメラや大容量ＳＤカードなどの出現により、バックアップメディア（例えば、ＤＶＤ）よりも、画像記録装置本体に装着される記録メディア（例えばＨＤＤやＳＤカード）の方の記憶容量が大きくなってきた。これに伴い、画像記録装置本体に装着される記録メディア内の画像データ群を複数のバックアップメディアに跨って分割して記録するする必要が出てきた。
【０００７】
これに対して、前記特許文献１記載の印刷装置では、複数のバックアップメディアに分割してバックアップする際に、各バックアップメディアの関連性をユーザが認識することができないという問題があった。
【０００８】
本発明は前述の問題点に鑑み、一つのまとまりを持つ画像データ群を複数の画像データ列に分割して複数のメディアに記録する際に、複数のバックアップメディアの関連性をユーザに容易に認識させることができるようにすることを目的としている。
【課題を解決するための手段】
【０００９】
本発明の情報処理装置は、データを複数の記録媒体に分割記録する為、前記データを分割して、順序関係のある複数の部分データを作成する分割手段と、前記部分データが記録される記録媒体ごとに代表画像を生成する代表画生成手段と、前記代表画生成手段で生成した代表画像を用いて、前記記録媒体の表面にプリントするプリントデータを生成するプリントデータ生成手段とを有し、前記代表画生成手段によって、一の記録媒体に対して生成される代表画像は、前記一の記録媒体とは異なる記録媒体に記録される部分データであって前記一の記録媒体に記録される部分データの前又は後の部分データの少なくともいずれかから生成された縮小画像と、前記一の記録媒体に記録される部分データを用いて生成された縮小画像とを含むことを特徴とする。
【００１０】
本発明の情報処理方法は、データを複数の記録媒体に分割記録する為、前記データを分割して、順序関係のある複数の部分データを作成する分割工程と、前記部分データが記録される記録媒体ごとに代表画像を生成する代表画生成工程と、前記代表画生成工程で生成した代表画像を用いて、前記記録媒体の表面にプリントするプリントデータを生成するプリントデータ生成工程とを有し、前記代表画生成工程によって、一の記録媒体に対して生成される代表画像は、前記一の記録媒体とは異なる記録媒体に記録される部分データであって前記一の記録媒体に記録される部分データの前又は後の部分データの少なくともいずれかから生成された縮小画像と、前記一の記録媒体に記録される部分データを用いて生成された縮小画像とを含むことを特徴とする。
【００１１】
本発明のプログラムは、データを複数の記録媒体に分割記録する為、前記データを分割して、順序関係のある複数の部分データを作成する分割工程と、前記部分データが記録される記録媒体ごとに代表画像を生成する代表画生成工程と、前記代表画生成工程で生成した代表画像を用いて、前記記録媒体の表面にプリントするプリントデータを生成するプリントデータ生成工程とをコンピュータに実行させることを特徴とするプログラムであって、前記代表画生成工程によって、一の記録媒体に対して生成される代表画像は、前記一の記録媒体とは異なる記録媒体に記録される部分データであって前記一の記録媒体に記録される部分データの前又は後の部分データの少なくともいずれかから生成された縮小画像と、前記一の記録媒体に記録される部分データを用いて生成された縮小画像とを含むようにする処理をコンピュータに実行させることを特徴とする。
【発明の効果】
【００１２】
本発明によれば、一の記録媒体に対して生成される代表画像は、前記一の記録媒体とは異なる記録媒体に記録される部分データであって前記一の記録媒体に記録される部分データの前又は後の部分データの少なくともいずれかから生成された縮小画像と、前記一の記録媒体に記録される部分データを用いて生成された縮小画像とを含むようにした。これにより、画像データを複数のバックアップメディアに分割してバックアップした場合に、ユーザは分割後の各データ列同士の関連性を容易に認識することが可能となる。
【発明を実施するための最良の形態】
【００１３】
（第１の実施形態）
図１は、本発明の実施の形態に係る情報処理装置の内部構成の一例を示すブロック図である。
図１に示すように、本実施形態の静止画像生成装置は、マイコン１０１、ＬＣＤ１０２、操作部１０３、ハードディスク１０４、ＲＡＭ１０５、ＡＴＡ１０６、ＭＰＥＧ回路１０７、ＪＰＥＧ回路１０８を備えている。また、画像処理回路１０９、ＵＳＢ１１０、ペリフェラル１１１、Ｄ/Ａ変換器１１２を備えている。
【００１４】
マイコン１０１は、静止画像生成装置のシステム制御を行なうマイクロコンピュータである。システム制御の他に、ＬＣＤ１０２での情報表示によりユーザに対して情報を提示するための表示用信号（以下、ＯＳＤ信号とする）をＲＡＭ１０５に出力する。
【００１５】
ＬＣＤ１０２は、マイコン１０１の指示により、Ｄ/Ａ変換器１１２によってデジタル-アナログ変換された画像データやＯＳＤ信号などを表示する。これらの画像データやＯＳＤ信号などはＲＡＭ１０５に展開されている。
【００１６】
操作部１０３は、ユーザ操作を受け付けてマイコン１０１に出力する。画像データには日時データが付加されていて、分割された記録単位データ(部分データ)も、日時データの順番に従って、順序関係を持ってハードディスク１０４に日付順に格納される。ＲＡＭ１０５は、データを保持する複数の領域を有している。例えば、レーベル画像作成領域、レーベル画像領域、代表画像保存領域、ＯＳＤ信号領域、データ出力領域などがある。
【００１７】
レーベル画像作成領域には、レーベル画像を作成するための複数の代表画が保存される。また、レーベル画像領域には、レーベル画像イメージが保存される。代表画像保存領域は、各画像データの代表画が保存される。ＯＳＤ信号領域は、マイコン１０１が保存したＯＳＤデータをＯＳＤ信号として、ＬＣＤ１０２に出力するための領域である。データ出力領域は、ハードディスク１０４内の画像データをペリフェラル（peripheral）１１１に出力する際に使用される領域である。
【００１８】
ＡＴＡ（AT Attachment）１０６は、マイコン１０１からの指示により、ハードディスク１０４に保存されている画像データや画像データの代表画生成用データをＲＡＭ１０５に転送する。代表画生成用データとは、画像データが静止画の際は、画像データのexif（Exchangeable Image File Format）内のサムネールデータ、画像データが動画像の際は、所定の位置にあるＩピクチャである。
【００１９】
ＭＰＥＧ回路１０７は、マイコン１０１からの指示により、ＲＡＭ１０５に展開されている動画像データのデコードやエンコードを行い、ダイジェストデータを作成する。ダイジェストデータとして動画像を作成する。この場合、そのメディアに記録する情報から、例えば一定時間ごとに抽出したデータを繋げて作成する。また、これに限らず、シーン判別を行って、そのシーンの先頭からの数秒間のデータを繋げて作成する。
ＪＰＥＧ回路１０８は、マイコン１０１からの指示により、ＲＡＭ１０５に展開されている静止画像データのデコードやエンコードを行い、ダイジェストデータとして静止画像を作成する。この場合、ファイル名や時間順に並べた場合に、所定の間隔ごとに抽出してもよく、またランダムに抽出してもよい。
【００２０】
画像処理回路１０９は、マイコン１０１からの指示により、ＲＡＭ１０５に展開されている画像データや代表画に対して、リサイズ(縮小)やアイコン付加などの画像処理を行う。ＵＳＢ１１０は、マイコン１０１からの指示により、ＲＡＭ１０５に展開されているデータをペリフェラル１１１に出力する。また、ペリフェラル１１１より入力されるデータをＲＡＭ１０５に転送する。ペリフェラル１１１は、外部とのデータ入出力のインターフェースである。Ｄ/Ａ変換器１１２は、ＲＡＭ１０５のＯＳＤ信号領域に展開されている画像データやＯＳＤデータをアナログ信号に変換して、ＬＣＤ１０２に出力する。
【００２１】
図２Ａ〜図２Ｃは、図１に示した静止画像生成装置が、ハードディスク１０４に保存されている画像データを、ペリフェラル１１１を介して外部に接続されているＤＶＤに記録する場合のフローチャートである。また、図１の静止画像生成装置が生成するレーベル画像を、ペリフェラル１１１を介して外部に接続されているＤＶＤのレーベル面に印刷画像を印刷するまでの処理手順の一例を説明するフローチャートである。ここでの説明は、外部接続されている機器がＤＶＤへのデータ記録と、ＤＶＤ表面へのレーベル印刷の両機能を持つ複合機器として説明する。
【００２２】
つまり、ＤＶＤへのデータ記録の為のデータと、ＤＶＤ表面へのレーベル印刷の為のプリントデータは、ともにペリフェラル１１１を介して外部機器に送信される。ただし、外部機器はこのような複合機に限らず、データの記録とプリントとを別の装置で実現してもよい。この場合、複数の通信インターフェースを用いて、データの記録の為の記録装置、プリンタのそれぞれと通信すればよい。なお、以下の説明において、各ステップで行われる処理はマイコン１０１の制御に従って行われる。
【００２３】
まず、ステップＳ２０１の前に、マイコン１０１はＡＴＡ１０６を制御して、ＨＤＤ１０４に記録されている画像データの代表画生成用データをＲＡＭ１０５の代表画像保存領域に転送しておく（不図示）。その後、代表画生成用データは、画像データが静止画像の場合はＪＰＥＧ回路１０８によりデコードされた後に、画像処理回路１０９によりリサイズされ、代表画像保存領域に保存される。また、画像データが動画像の場合は、ＭＰＥＧ回路１０７によりデコード、画像処理回路１０９によりリサイズされて代表画像が生成され、代表画像保存領域に保存される。
【００２４】
ステップＳ２０１では、マイコン１０１はＨＤＤ１０４に記録されている画像データの中からどの画像データをＤＶＤに記録するかという旨のＯＳＤ信号をＲＡＭ１０５に転送する。さらに、マイコン１０１は、画像処理回路１０９を制御して画像データの代表画像とＯＳＤ信号をミックスする。そして、ミックスされた画像信号を、Ｄ/Ａ変換器１１２でアナログ信号に変換してＬＣＤ１０２に出力する。ユーザは操作部１０３を操作して、ＬＣＤに表示されている画像信号を見ながら、ＨＤＤ１０４からＤＶＤに記録する画像データ群を選択する。その後、ステップＳ２０２に進む。
【００２５】
ステップＳ２０２では、マイコン１０１はＡＴＡ１０６を制御して、ステップＳ２０１でユーザが選択した画像データ群の総容量を計算する。その後、ステップＳ２０３に進む。
ステップＳ２０３では、マイコン１０１は、ステップＳ２０２で取得した画像データ群の総容量をＯＳＤ信号としてＲＡＭ１０５のＯＳＤ信号領域に出力する。ＲＡＭ１０５に出力されたＯＳＤ信号は、Ｄ/Ａ変換器１１２でアナログ信号に変換されてＬＣＤ１０２に出力される。その後、ステップＳ２０４に進む。
【００２６】
ステップＳ２０４では、マイコン１０１は、ステップＳ２０１で選択した画像データを「ＤＶＤに記録するか？」という旨をＯＳＤ信号としてＲＡＭ１０５のＯＳＤ信号領域に出力する。ＲＡＭ１０５に出力されたＯＳＤ信号は、Ｄ/Ａ変換器１１２でアナログ信号に変換されてＬＣＤ１０２に出力される。ここで、ＹＥＳが選択されると、ステップＳ２０５に進む。また、ＮＯが選択されると、全ての処理が終了する。
【００２７】
ステップＳ２０５では、マイコン１０１は、ＵＳＢ１１０を制御して、ペリフェラル１１１の先に接続されているＤＶＤ（図示せず）にデータを記録可能かを判断する。この判断の結果、記録可能な場合はステップＳ２０６に進み、記録不可能な場合はステップＳ２０７に進む。
【００２８】
ステップＳ２０６では、マイコン１０１は、ＵＳＢ１１０を制御して、ペリフェラル１１１の先に接続されているＤＶＤの記録可能容量を取得する。なお、ＤＶＤの記録可能容量はユーザが操作部１０３を用いてマニュアルで入力するように構成しても良い。その後、ステップＳ２０８に進む。
【００２９】
ステップＳ２０７では、マイコン１０１は、記録可能なＤＶＤの装着を求める旨をＯＳＤ信号としてＲＡＭ１０５のＯＳＤ信号領域に出力する。ＲＡＭ１０５に出力されたＯＳＤ信号は、Ｄ/Ａ変換器１１２でアナログ信号に変換されてＬＣＤ１０２に出力される。その後、ステップＳ２０８に進む。
【００３０】
ステップＳ２０８では、マイコン１０１は、ステップＳ２０６で取得したＤＶＤの記録可能容量に基づき、ステップＳ２０１で選択された画像データ群の中からＤＶＤに記録するデータを選択する。ここでは、ＤＶＤに未記録のデータのうち、最古の画像データから日時情報の順に、ＤＶＤの記録可能容量の分だけ画像を自動選択する。この時、選択された画像データを、日付情報が最古の画像データから順に並べてＬＣＤ１０２に出力する。なお、ここでの画像選択もユーザによる手動選択により実現しても良い。
【００３１】
これにより、分割された各部分データも日時情報に従って順序関係を持って作成される。後に説明するが、ここで選択された画像データ群を用いて代表画像生成が行われる。この代表画生成は、ある記録媒体に付与される代表画像として、分割した一連のデータの分割順に対し、その記録媒体の前又は後に記録されるべきデータも含むようにする。つまり、ステップＳ２０８で選択されなかった画像データを用い、特に選択された画像データの直前や直後の画像データが用いるのが好適である。また、この直前や直後は、必ずしも絶対的な直前、直後でなくても良い。つまり、選択されなかった画像データのうち、選択された画像データの直前付近や直後付近の画像であっても良い。
【００３２】
次に、ステップＳ２０９では、マイコン１０１は、ＡＴＡ１０６を制御してステップＳ２０８で選択された画像データをＨＤＤ１０４より、ＲＡＭ１０５のデータ出力領域に転送する。その後、マイコン１０１はＵＳＢ１１０を制御して、ＲＡＭ１０５のデータ出力領域に転送されたデータを、ペリフェラル１１１を介してＤＶＤに書き込む。その後、ステップＳ２１０に進む。
【００３３】
ステップＳ２１０では、マイコン１０１は、ステップＳ２０１で選択された画像データ群の一部が、複数の記録媒体（ＤＶＤ）のうち最初のＤＶＤに記録されるのか、既に別のＤＶＤに記録しているかを判断する。この判断の結果、最初のＤＶＤに記録された場合は、ステップＳ２１１に進み、２枚目以降のＤＶＤに記録している場合はステップＳ２１４に進む。
【００３４】
ステップＳ２１１では、マイコン１０１はステップＳ２０１で選択された画像データを全てＤＶＤに記録したか否かを判断する。この判断の結果、ＹＥＳの場合はステップＳ２１２へ進み、ＮＯの場合はステップＳ２１３へ進む。
【００３５】
ステップＳ２１２では、マイコン１０１はＡＴＡ１０６を制御して、ＤＶＤに今回記録した画像データの代表画生成用データをＨＤＤ１０４よりＲＡＭ１０５のレーベル画像作成領域に転送する。代表画生成用データは、画像データが静止画像だったら、ＪＰＥＧ回路１０８によりデコードされた後、画像処理回路１０９によりリサイズされ、レーベル画像作成領域に保存される。また、画像データが動画像だった場合は、ＭＰＥＧ回路１０７によりデコードされた後、画像処理回路１０９によりリサイズされて代表画となり、レーベル画像作成領域に保存される。その後、ステップＳ２１７に進む。
【００３６】
ステップＳ２１３では、マイコン１０１はＡＴＡ１０６を制御して、ＤＶＤに今回記録した画像データの代表画と、まだ記録されていない画像データの代表画生成用データをＨＤＤ１０４よりＲＡＭ１０５のレーベル画像作成領域に転送する。代表画生成用データは、画像データが静止画像だったら、ＪＰＥＧ回路１０８によりデコードされた後、画像処理回路１０９によりリサイズされ、レーベル画像作成領域に保存される。また、画像データが動画像だった場合は、ＭＰＥＧ回路１０７によりデコード、画像処理回路１０９によりリサイズされて代表画となり、レーベル画像作成領域に保存される。その後、ステップＳ２１７に進む。
【００３７】
ステップＳ２１４では、マイコン１０１は、ステップＳ２０１で選択された画像データを全てＤＶＤに記録したか否かを判断する。この判断の結果、ＹＥＳの場合はステップＳ２１５へ進み、ＮＯの場合はステップＳ２１６へ進む。
【００３８】
ステップＳ２１５では、マイコン１０１はＡＴＡ１０６を制御して前回ＤＶＤに記録した画像データの代表画と、今回ＤＶＤに記録した画像データの代表画生成用データをＨＤＤ１０４よりＲＡＭ１０５のレーベル画像作成領域に転送する。代表画生成用データは、画像データが静止画像だったら、ＪＰＥＧ回路１０８によりデコードされた後、画像処理回路１０９によりリサイズされ、レーベル画像作成領域に保存される。また、画像データが動画像だった場合は、ＭＰＥＧ回路１０７によりデコードされた後、画像処理回路１０９によりリサイズされて代表画となり、レーベル画像作成領域に保存される。その後、ステップＳ２１７に進む。
【００３９】
ステップＳ２１６では、マイコン１０１はＡＴＡ１０６を制御する。そして、前回ＤＶＤに記録した画像データの代表画と、今回ＤＶＤに記録した画像データの代表画と、まだ記録されていない画像データの代表画生成用データをＨＤＤ１０４よりＲＡＭ１０５のレーベル画像作成領域に転送する。代表画生成用データは、画像データが静止画像だったら、ＪＰＥＧ回路１０８によりデコードされた後、画像処理回路１０９によりリサイズされ、レーベル画像作成領域に保存される。また、画像データが動画像だった場合は、ＭＰＥＧ回路１０７によりデコードされた後、画像処理回路１０９によりリサイズされて代表画となり、レーベル画像作成領域に保存される。その後、ステップＳ２１７に進む。
【００４０】
なお、前記の代表画像は全ての画像データを縮小処理したものではなく、所定の枚数の画像を記録媒体ごとに抽出して、それぞれを縮小して作成している。例えば、ある記憶媒体に１００枚の静止画像を記録した場合でも、１０００枚の静止画像を記録した場合でも、その媒体のレーベルに用いる代表画像が５枚であれば、５枚の画像を所定のルールで抽出する。
【００４１】
抽出の仕方は、日時情報順に並べた場合に等しい枚数ごとに抽出しても良いし、手動でユーザが選んでも良い。また画像情報を解析して、画像の傾向が異なるものを５枚抽出しても良い。また、撮影シーン情報やGPS位置情報など、他の属性情報を参照して、なるべく同じ種類のものに偏らないように抽出しても良い。なお、媒体ごとの代表画像の数はレーベル画像の作成機能において固定であっても良いし、媒体の種類ごとに決めても良いし、ユーザにより手動で決めても良い。
【００４２】
動画像データを記録する場合の代表画像は、所定の時間間隔ごとに静止画を抽出しても良いし、撮影シーンが変わる場面を代表画象にしても良いし、ユーザが手動で選ぶようにしても良い。
【００４３】
ステップＳ２１７では、マイコン１０１は、自動でレーベル印刷画面を作成するかの旨をＯＳＤ信号としてＲＡＭ１０５のＯＳＤ信号領域に出力する。ＲＡＭ１０５に出力されたＯＳＤ信号は、Ｄ/Ａ変換器１１２でアナログ信号に変換されてＬＣＤ１０２に出力される。自動でレーベル画像を作成するか否かの選択を待つ。この結果、ＹＥＳが選択されるとステップＳ２００に進み、ＮＯが選択されると、ステップＳ２２１に進む。ステップＳ２００においては、レーベル画像イメージを作成する処理が行われる。処理手順については後述する。ステップＳ２００においてレーベル画像イメージが作成されると、次に、ステップＳ２１８に進む。
【００４４】
ステップＳ２１８では、マイコン１０１は、ＲＡＭ１０５のレーベル画像領域に保存されているレーベル画像イメージを、Ｄ/Ａ変換器１１２でアナログ信号に変換してＬＣＤ１０２に出力する。
【００４５】
ステップＳ２１９では、マイコン１０１は、ステップＳ２１８で表示されたレーベル画像イメージを修正するか否かの旨をＯＳＤ信号としてＲＡＭ１０５のＯＳＤ信号領域に出力する。ＲＡＭ１０５に出力されたＯＳＤ信号は、Ｄ/Ａ変換器１１２でアナログ信号に変換されてＬＣＤ１０２に出力される。ステップＳ２１９の選択において、ＹＥＳが選択されるとステップＳ２２０に進み、ＮＯが選択されるとステップＳ２２３に進む。
【００４６】
ステップＳ２２０では、マイコン１０１は、ＲＡＭ１０５のレーベル画像生成領域に保存されている代表画像と、レーベル画像領域に保存されているレーベル画像イメージをＤ/Ａ変換器１１２でアナログ信号に変換してＬＣＤ１０２に出力する。ユーザは、操作部１０３を操作して、レーベル画像イメージを修正する。ユーザにより修正されたレーベル画像イメージはレーベル画像領域に保存される。その後、ステップＳ２２３に進む。
【００４７】
一方、ステップＳ２１７からステップＳ２２１に進んだ場合は、マイコン１０１は、ＲＡＭ１０５のレーベル画像生成領域に保存されている代表画像を、Ｄ/Ａ変換器１１２でアナログ信号に変換してＬＣＤ１０２に出力して表示する。その後、ステップＳ２２２に進む。
【００４８】
ステップＳ２２２では、ユーザは、操作部１０３を操作して、ステップＳ２２１で表示された代表画よりレーベル画像イメージを作成する。ユーザにより作成されたレーベル画像イメージはレーベル画像領域に保存される。その後、ステップＳ２２３に進む。
【００４９】
ステップＳ２２３では、マイコン１０１は画像処理回路１０９を制御して、ＲＡＭ１０５のレーベル画像領域に保存されているレーベル画像イメージを、ＤＶＤのレーベル面に描けるサイズに変換する。その後、マイコン１０１はＪＰＥＧ回路１０８を制御して、ＤＶＤのレーベル面に描けるサイズに変換されたレーベル画像イメージを静止画に変換する。その後、ステップＳ２２４に進む。
【００５０】
ステップＳ２２４では、マイコン１０１は、ＵＳＢ１１０を制御して、ペリフェラル１１１の先に接続されているＤＶＤがレーベル印刷可能状態か否かを判断する。この判断の結果、印刷が可能な場合はステップＳ２２５に進み、不可能な場合はステップＳ２２６に進む。
【００５１】
ステップＳ２２５では、マイコン１０１はＵＳＢ１１０を制御して、ステップＳ２２３で生成された静止画像からレーベル印刷用のプリントデータ生成を行い、生成したプリントデータをＤＶＤのレーベル面に印刷する。この印刷は、プリント部１１３で行う。その後、ステップＳ２２７に進む。
【００５２】
また、ステップＳ２２６では、マイコン１０１は、レーベル印刷可能状態にして下さいという旨をＯＳＤ信号としてＲＡＭ１０５のＯＳＤ信号領域に出力する。ＲＡＭ１０５に出力されたＯＳＤ信号は、Ｄ/Ａ変換器１１２でアナログ信号に変換されてＬＣＤ１０２に出力されて表示される。その後、ステップＳ２２４に戻って前述した処理を繰り返し行う。
【００５３】
ステップＳ２２７では、マイコン１０１は、ステップＳ２０１で選択された画像データを全てＤＶＤに記録したか否かを判断する。この判断の結果、ＹＥＳの場合は全ての処理を終了する。また、ステップＳ２２７の判断の結果、ＮＯの場合はステップＳ２０５に戻って前述した処理を繰り返し行う。
【００５４】
次に、ステップＳ２００において行われるレーベル画像イメージを作成する処理について説明する。
処理が開始されると、最初のステップＳ２２８では、マイコン１０１は、ステップＳ２０１で選択された画像データ群が、最初のＤＶＤへの記録か、もしくは２枚目以降のＤＶＤへの記録かを判断する。この判断の結果、最初のＤＶＤへの記録の場合は、ステップＳ２２９に進み、２枚目以降のＤＶＤへの記録の場合はステップＳ２３４に進む。
【００５５】
ステップＳ２２９では、マイコン１０１は、ステップＳ２０１で選択された画像データを全てＤＶＤに記録したか否かを判断する。この判断の結果、ＹＥＳの場合はステップＳ２３０へ進み、ＮＯの場合はステップＳ２３１へ進む。
【００５６】
ステップＳ２３０では、マイコン１０１は、ＲＡＭ１０５のレーベル画像作成領域に保存されている代表画像を画像データの日時順にならべて、レーベル画像イメージを生成してＲＡＭ１０５のレーベル画像領域に保存する。その後、前述したようにステップＳ２１８に進む。
【００５７】
一方、ステップＳ２２９からステップＳ２３１に進んだ場合は、マイコン１０１は、レーベル画像作業領域に保存されている代表画像を用いてレーベル画像イメージを生成する処理を行う。さらにこの処理は、今回ＤＶＤに記録した画像データの代表画像と、他の記録媒体（今回では他のＤＶＤ）に記録されるべき画像データの代表画像を用いて、レーベル画像イメージを生成する。元々の画像データがもつ日時情報を利用し、代表画像をその日時順に並べて、レーベル画像イメージを生成して、レーベル画像領域に保存する。その後、ステップＳ２３２に進む。
【００５８】
ステップＳ２３２では、マイコン１０１は、画像処理回路１０９を制御して、ＲＡＭ１０５のレーベル画像領域に保存されている代表画の中で、レーベル画像イメージを生成する処理を行う。この処理は、今回記録したＤＶＤの代表画の中で、最新の日付データを持つ代表画に、ステップＳ２０１で選択された画像データで最新の日付情報を持つ旨のアイコンを付加する。その後、ステップＳ２３３に進む。
【００５９】
ステップＳ２３３では、マイコン１０１は、画像処理回路１０９を制御して、まだＤＶＤに記録されていない画像データから作成された代表画の中で、最古の日時情報を持つ代表画を選択する。さらに、その代表画に対して、続きのＤＶＤがある旨のアイコン（ここでは次のディスクの番号）を付加する。その後、ステップＳ２４１に進む。
【００６０】
ステップＳ２３４では、マイコン１０１はステップＳ２０１で選択された画像データを全てＤＶＤに記録したか否かを判断する。この判断の結果、ＹＥＳの場合はステップＳ２３５へ進み、ＮＯの場合はステップＳ２３８へ進む。
【００６１】
ステップＳ２３５では、マイコン１０１は、ＲＡＭ１０５のレーベル画像作業領域に保存されている代表画像を用いて、レーベル画像イメージを生成する処理を行う。この処理は、今回ＤＶＤに記録した画像データの代表画と、前回ＤＶＤに記録した画像データの代表画の中で最新の日時情報をもつ代表画を日時順に並べて、レーベル画像イメージを生成して、レーベル画像領域に保存する。その後、ステップＳ２３６に進む。
【００６２】
ステップＳ２３６では、マイコン１０１は、画像処理回路１０９を制御して、ＲＡＭ１０５のレーベル画像領域に保存されている代表画について以下の処理を行う。すなわち、今回ＤＶＤに記録した画像データの代表画の中で、最新の日付データを持つ代表画に最新の日付情報を持つ旨の所定の差別化アイコン（例えばENDマーク）を付加する。このアイコンは、ステップＳ２０１で選択された一連の画像の最後が、その記録媒体に記録されていることを認識できる。その後、ステップＳ２３７に進む。
【００６３】
ステップＳ２３７では、マイコン１０１は、画像処理回路１０９を制御して、ＲＡＭ１０５のレーベル画像領域に保存されている代表画について以下の処理を行う。すなわち、前回ＤＶＤに記録した画像データの代表画の中で最新の日時情報を持つ代表画をレーベル画像に追加する。さらに、前回の前に関連するＤＶＤがある旨のアイコン（前のディスクの番号等）を付加する。３枚のディスクに分割記録される場合、この最終ディスクは３となるので、このステップで前回のＤＶＤの番号が２となり、DISK２などの情報を代表画像に付加する。その後、ステップＳ２４１に進む。
【００６４】
ステップＳ２３８では、マイコン１０１は、ＲＡＭ１０５のレーベル画像領域に保存されている代表画について以下の処理を行う。すなわち、今回ＤＶＤに記録した画像データの代表画と、前回ＤＶＤに記録した画像データの代表画の中で最新の日時情報をもつ代表画と、次回のＤＶＤ記録される画像データの代表画の中で最古の日付情報を持つ代表画を日時順に並べる。そして、レーベル画像イメージを生成して、レーベル画像領域に保存する。その後、ステップＳ２３９に進む。
【００６５】
ステップＳ２３９では、マイコン１０１は、画像処理回路１０９を制御する。そして、次回のＤＶＤ記録される画像データの代表画の中で最古の日付情報を持つ代表画像に次のＤＶＤがある旨のアイコンを付加する。今回は次のディスクの番号を付加する。その後、ステップＳ２４０に進む。
【００６６】
ステップＳ２４０では、マイコン１０１は、画像処理回路１０９を制御して、前回ＤＶＤに記録した画像データの代表画の中で最新の日時情報を持つ代表画に、前のＤＶＤがある旨のアイコンを付加する。今回は前のディスクの番号を付加する。その後、ステップＳ２４１に進む。
【００６７】
ステップＳ２４１では、マイコン１０１は、前回又は次回のＤＶＤに記録していない画像データの代表画と、今回ＤＶＤに記録した画像データの代表画を差別化するかの旨をＯＳＤ信号としてＲＡＭ１０５のＯＳＤ信号領域に出力する。ＲＡＭ１０５に出力されたＯＳＤ信号は、Ｄ/Ａ変換器１１２でアナログ信号に変換されてＬＣＤ１０２に出力される。ステップＳ２４２において、ＹＥＳが選択されるとステップＳ２４２に進み、ＮＯが選択されると、ステップＳ２４５に進む。
【００６８】
ステップＳ２４２では、マイコン１０１は代表画像のサイズで差別化するかかの旨をＯＳＤ信号としてＲＡＭ１０５のＯＳＤ信号領域に出力する。ＲＡＭ１０５に出力されたＯＳＤ信号は、Ｄ/Ａ変換器１１２でアナログ信号に変換されてＬＣＤ１０２に出力されて表示される。ステップＳ２４２において、ＹＥＳが選択されるとステップＳ２４３に進み、ＮＯが選択されると、ステップＳ２４５に進む。
【００６９】
ステップＳ２４３では、今回のＤＶＤに記録した画像データの代表画よりも、前回または次回のＤＶＤに記録される画像データの代表画を小さくリサイズする。その後、ステップＳ２１８に進む。
【００７０】
ステップＳ２４４では、マイコン１０１は、画像処理回路１０９を制御して、今回のＤＶＤに記録した画像データの代表画に、今回ＤＶＤに記録した画像データの代表画である旨のアイコンを付加する。例えば○マークなどが考えられる。その後、ステップＳ２４５に進む。
【００７１】
ステップＳ２４５では、マイコン１０１は、画像処理回路１０９を制御して、前回または次回のＤＶＤに記録される代表画に所定のアイコンを付加する。例えば×マークが考えられる。ステップＳ２４４、２４５のアイコンはこれに限るものでなく、適宜変更可能であるが、その記録媒体にその代表画像に対応するデータが記録されているかどうかの目安になればよい。その後、ステップＳ２１８に進む。なお、ステップＳ２４２、２４３では縮小処理を行うことにより、違う記録媒体へ記録される画像であることを認識しやすくしたが、縮小処理に限るものではない。例えば色味や濃度（例えば、前回又は次回のディスクの代表画像を薄くする）を変えるようにしても良い。
【００７２】
図３は、図２のフローチャートで説明したＵＩの一部を説明する図である。
図３において、３０１は、ステップＳ２０１に対応したＵＩである。３０１−１で囲まれる部分（この線自体は表示されない）のように、ハードディスク１０４内の画像データの代表画像を示して、ユーザにハードディスクからＤＶＤに記録する画像データの範囲を指定させる。
【００７３】
３０２は、ステップＳ２０４に対応したＵＩである。３０３はステップＳ２０７に対応したＵＩである。３０４は、ステップＳ２０８に対応したＵＩである。３０４−１で囲まれる部分（この線自体は表示されない）のようにＤＶＤに記録可能な画像データの代表画を表示して、ユーザにＤＶＤに記録する画像データ群の範囲を指定させる。
【００７４】
３０５は、ステップＳ２０９に対応したＵＩである。３０６は、ステップＳ２１７に対応したＵＩである。３０７は、Ｓ３４１に対応したＵＩである。３０８は、ステップＳ２４２に対応したＵＩである。３０９は、ステップＳ２１９に対応したＵＩである。３０９−１で囲まれる部分（この線自体は表示されない）に示すように、ＲＡＭ１０５のレーベル画像領域のレーベル画像イメージを表示する。
【００７５】
３１０は、ステップＳ２２０に対応したＵＩである。ＲＡＭ１０５のレーベル画像領域のレーベル画像イメージとともに、３１０−１で囲まれる部分（この線自体は表示されない）に示すように、ＲＡＭ１０５のレーベル画像作業領域に保存されている、画像データの代表画も表示する。３１１は、ステップＳ２２１・ステップＳ２２２に対応したＵＩである。３１１−１で囲まれる部分（この線自体は表示されない）に示すように、ＲＡＭ１０５のレーベル画像作業領域に保存されている、画像データの代表画を表示する。
【００７６】
３１２は、ステップＳ２２４に対応したＵＩである。３１２はステップＳ２２５に対応したＵＩである。３１３はステップＳ２２７でＮＯの時のＵＩである。３１４はＳ３１４でＹＥＳの時のＵＩである。３１５は、指定されたデータをＤＶＤに記録した際に表示される画像の一例である。
【００７７】
図４は、図１の静止画生成装置で生成されるＤＶＤのレーベル面の一例を示す図である。
図４において、４０１はハードディスク１０４にＡ〜Ｘの画像データが記録されていることを示している。ハードディスク１０４内の画像データ群を、ＤＶＤ１〜ＤＶＤ３に分割して記録する際の、データの分割の例とＤＶＤのレーベル面の説明を以下に記す。
【００７８】
ＤＶＤ１には、ハードディスク１０４のＡ〜Ｇの画像データが記録され、ＤＶＤ２にはハードディスク１０４のＨ〜Ｐの画像データが記録され、ＤＶＤ３にはハードディスク１０４のＱ〜Ｘの画像データが記録されている。この例では、ハードディスク１０４内の画像データの全てをＤＶＤに記録しているが、ハードディスクの一部の画像データをＤＶＤに記録する場合も適用可能である。
【００７９】
ここで、ＤＩＳＫ１の表面に記録される代表画像はＡ〜Ｇから作成されたものだけでなく、その次のＤＩＳＫ２の先頭の画像Ｇも使われる。また、ＤＩＳＫ２の表面に記録される代表画像はＨ〜Ｐから作成されたものだけでなく、その前のＤＩＳＫ１の最後の画像Ｇと、次のＤＩＳＫ３の先頭の画像Ｑも使われる。
【００８０】
また、ＤＩＳＫ３の表面に記録される代表画像は、Ｑ〜Ｘから作成されたものだけでなく、その前のＤＩＳＫ２の最後の画像Ｐも使われる。もちろん画像データは動画像データであってもよいし、静止画像データであっても良い。ハードディスク１０４に記録されているＡ〜Ｘの画像データは別個のデータであっても良いし、１つの動画像データを分割した分割データと考えても良く、いずれの場合も本発明に適用可能である。
【００８１】
例えばＤＶＤ２の４０２に示すように、ＤＶＤ２の前後のＤＶＤ（本例ではＤＶＤ１とＤＶＤ３）に記録される画像データに対応する代表画像をＤＶＤ２のレーベル面にＤＶＤ２の画像データの代表画像とともに印刷する。
【００８２】
具体的には、ＤＶＤ２に印刷または記録される代表画像の先頭は、前の記録媒体であるＤＶＤ１に記録されるデータの最後の方から作成された代表画像となる。なお、最後の方から作成された代表画像とは、ＤＶＤ１の最後の近辺を認識するためであれば、完全な最後のデータから作成する必要は無いことを示す。もちろん完全に最後の画像（動画であれば最後のフレーム）であってもよいが、これに限らない。
【００８３】
またＤＶＤ２に印刷または記録される代表画像の最後は、後の記録媒体であるＤＶＤ３に記録されるデータの最初の方から作成された代表画像となる。なお、最初の方から作成された代表画像とは、ＤＶＤ３の最初の近辺を認識するためであれば、完全な最初のデータから作成する必要は無いことを示す。もちろん、完全に最初の画像（動画であれば最初のフレーム）であってもよいが、これに限らない。
【００８４】
また、４０２に示すように、前回又は次回のＤＶＤの番号（例えば、DISK１やDISK３）を明示することにより、前のＤＶＤや続きのＤＶＤが存在するかが分かる。また４０３のように全代表画像のうちの最初の画像にstart等、最初であることを示す情報を合成することで、その記録媒体に最初のデータが記録されていることを知ることが出来る。また、全代表画像のうちの最後の画像にendのアイコンを付加することにより、そのＤＶＤに最終データが記録されていることを知ることが出来る。
【００８５】
前記のように代表画像に合成される情報は、実施例に記載のものに限らず、別の文字やマークなど特定の情報を適用し、最初の代表画像であることや前後のディスク情報等を使用者にとって認識のしやすい形態の情報であればよい。
【００８６】
また、図２のステップＳ２４２でＹＥＳが選択された場合には、ＤＶＤ上のH、G、Q、P（４０２）に示すように、その記録媒体にデータが記録されている画像データの代表画像は大きくし、他の記録媒体に記録されているデータの代表画像は小さくする。
【００８７】
また、図２のステップＳ２４２でＮＯが選択された場合は、４０６に示すように、ＤＶＤに入っている画像データの代表画像には、ＤＶＤに画像データが入っている旨を示すアイコン（○印）を表示する。また、ＤＶＤに画像データが入っていない代表画像にはＤＶＤに画像データが入っていない旨のアイコン（×印）を表示する。
【００８８】
なお、本実施形態は、図１の、マイコン１０１をＣＰＵとし、ＬＣＤ１０２をディスプレイとし、また、操作部１０３をマウスとキーボードとする。さらに、ＭＰＥＧ回路１０７をＭＰＥＧソフトウェアエンコーダー・デコーダーとする。また、ＪＰＥＧ回路１０８をＪＰＥＧソフトウェアエンコーダー・デコーダーとし、画像処理回路１０９を画像処理ソフトウェアにすることにより、ＰＣのアプリケーションでも実現することができる。
【００８９】
なお、複数のメディアに分割する際の分割基準は、データ容量だけでなく、日付やタイトル、シーン情報などの属性情報による分類に基づくものでもよい。また、マニュアルで分割箇所を指定してもよい。
【００９０】
（第２の実施形態）
図５は、第２の実施形態を実現するための記録装置のブロック図を示している。
図５において、第１の記録媒体５００は大容量のデータを保存することが可能な記録媒体であり、複数の画像ファイルを保存することができる。再生信号処理部５０１は第１の記録媒体５００に保存されている画像ファイルを伸張してエラー訂正を行い、ビデオ信号処理部５０２は伸張された信号から再生画像を生成し、表示部５０５は再生画像を表示する。
【００９１】
操作部５０４はユーザが操作を行う操作部であり、操作処理部５０３はユーザの操作した結果を処理する。記録画像処理部５０６はユーザの操作した結果を受けてダビングする画像ファイルを選択したり、分割したりする処理部である。記録画像処理部５０６は、第１の記録媒体５００に保存されている大容量のデータの一部を選択して第２の画像データ群とする。また、選択した第２の画像データ群を、前または後に関係のある複数の記録単位データとして分割する処理を行う。
【００９２】
ダイジェスト情報生成部５０７はダビングする画像のダイジェスト情報を生成する。ダイジェスト情報生成部５０７で生成するダイジェスト情報としては、動画像であれば、そのメディアに記録する情報から例えば一定時間ごとに抽出したデータを繋げたものである。また、シーン判別を行って、そのシーンの先頭からの数秒間のデータを繋げてよい。また、静止画像であれば、ファイル名や時間順に並べた場合に、所定の間隔ごとに抽出してもよい。また、ランダムに抽出してもよい。
【００９３】
レーベル画像生成部５０８はダビングする画像を記録するＤＶＤ―Ｒ等の記録媒体用のレーベル画像を生成する。記録信号処理部５０９はダビングする画像、ダイジェスト情報、レーベル画像を受け取ると、エラー訂正符号を付加して圧縮を行い、ＤＶＤ−Ｒ等の着脱可能な第２の記録媒体５１０に記録する。
【００９４】
なお、この記録信号処理部５０９は、第２の記録媒体にデータを記録する機能と、第２の記録媒体表面にレーベル画像をプリントする機能を有するとして説明する。つまり、ＤＶＤ−Ｒへのデータ記録の為のデータと、ＤＶＤ−Ｒの表面へのレーベル印刷の為のプリントデータが、ともに記録信号処理部５０９に入力される。そして、ＤＶＤ−Ｒへのデータ記録の為のデータが入力されると、記録信号処理部５０９は不図示のデータ記録ヘッドを用いてＤＶＤ−Ｒにデータを記録する。ＤＶＤ−Ｒの表面へのレーベル印刷の為のプリントデータが入力されると、記録信号処理部５０９は不図示のプリントヘッドを制御してプリントを行う。
【００９５】
データの記録及びプリント処理は、外部機器としてのデータ記録装置やプリント装置と通信することで実現しても良い。この場合、複数の通信インターフェースを用いて、データの記録の為の記録装置、プリンタのそれぞれと通信すればよい。
【００９６】
ダビングに先立ち、ユーザは操作部５０４よりメニューを開き、ダビング時にダビングするコンテンツ群のダイジェスト情報を生成し、他のコンテンツ群にそのダイジェスト情報を記録するかどうかの設定を行うことが可能である。
【００９７】
図６は、このダイジェスト情報を生成し記録するかどうかを設定するための設定画面の一例である。ユーザがダイジェスト情報記録モードの設定をメニューから選択すると「ダイジェスト情報記録モード（６００）」を表示部５０５に表示する。そして、ダイジェスト情報記録モードをＯＮにする「ＯＮ  入（６０１）」と、ＯＦＦにする「ＯＦＦ  切（６０２）」を表示する。６０３は選択カーソルで操作部５０４よりカーソルを操作してダイジェスト情報記録モードの設定をする選択機能をユーザに提供する。
【００９８】
次に、図７のフローチャートを用いて、ダビング時にダビングするコンテンツ群のダイジェスト情報を生成し、他のコンテンツ群にそのダイジェスト情報を記録する流れの説明をする。
【００９９】
まず、ステップＳ７００においてユーザからの操作によりダビングモードへの遷移要求を検知したらステップＳ７０１へ進む。ステップＳ７０１ではモードをダビングモードへ切り替える。
【０１００】
次に、ステップＳ７０２において、第１の記録媒体５００に記録してある画像ファイルを表示部５０５に一覧表示し、ユーザにどの画像をダビングするのか否かを操作部５０４を用いて選択させる。
【０１０１】
ダビング画像を選択する画面の一例を図８に示す。「ダビング画像を選ぶ（８００）」を表示部５０５に表示し、第１の記録媒体５００に記録してあるコンテンツ（８０２〜８０７）を一覧表示する。図８において、８０１は選択カーソルであり、ユーザは操作部５０４よりカーソル８０１を操作してダビングする画像を選択していく。８０８はダビングする画像として選択されたことを示す印である。８０９はメニューボタンを押すとダビングする画像の選択が終了することを示している。
【０１０２】
ステップＳ７０３、ステップＳ７０４ではユーザによりダビングする画像の選択が終了するまで入力待ち状態となる。ユーザによりダビングする画像の選択の終了が入力されたらステップＳ７０５へ進む。
【０１０３】
ステップＳ７０５では、記録先メディアの容量を選択する画面を表示部５０５に容量選択画面を表示し、ユーザに操作部５０４を用いて選択させる。記録先メディアの容量の選択画面の一例を図９及び図１０に示す。
【０１０４】
「ダビング先の記録容量を選ぶ（９００）」を表示部５０５に表示し、記録先メディアの容量（９０１〜９０５）のメニューを表示する。９０７は選択カーソルでありユーザは操作部５０４より選択カーソル９０７を操作して記録先メディアの容量を選択する。この選択画面で「その他（９０６）」を選択すると図１０に示す画面に遷移し、「記録先メディアの容量を入力してください（１０１０）」を表示部５０５に表示し、ユーザが操作部５０４を用いて任意に記録先メディアの容量を入力することができる（１０１１）。「戻る（１０１２）」を選択すると図９の選択画面に戻り、「終了（１０１３）」を選択すると記録先メディア容量の入力を終了する。
【０１０５】
ステップＳ７０６、ステップＳ７０７ではユーザにより記録先メディアの容量の選択が終了するまで入力待ち状態となる。ユーザにより記録先メディアの容量が選択されたらステップＳ７０８へ進む。ここでは、ユーザにより記録先メディアの容量を選択させる処理を例に説明したが、外部記録装置に記録するメディアを挿入させ、挿入されたメディアより記録容量を取得して設定する処理でもかまわない。
【０１０６】
また、記録信号処理部５０９に第２の記録媒体１０の種類や容量を検知する検知手段を持たせることにより、図９や図１０の画面を省略することができる。もしくは図９、図１０の画面のデフォルトの表示状態として、検知したメディアの修理や容量が選択されていて、ユーザに確認を促す画面に変更しても良い。
【０１０７】
ステップＳ７０８では、ダビングする画像の総容量と記録先メディアの容量の比較を行う。ステップＳ７０９では、ダビングする画像の総容量が1枚の記録先メディアに収まるか否かをチェックし、収まらない場合はステップＳ７１０へ進む。一方、収まる場合はステップＳ７１６に進み、第２の記録媒体５１０にダビングして終了する。
【０１０８】
ステップＳ７１０では、記録先のメディアに収まるように選択された画像を分割してコンテンツ群を生成する。ステップＳ７１０で行われる処理の一例を図１１を用いて詳しく説明する。
【０１０９】
図１１のシチュエーションはステップＳ７０２、ステップＳ７０３、ステップＳ７０４の処理において１０個のコンテンツが選択され、総容量は１２ＧＢである（１１００）。また、ステップＳ７０５、ステップＳ７０６、ステップＳ７０７の処理において選択された記録先メディアの容量はＤＶＤの４.７ＧＢが選択されている。
【０１１０】
１２ＧＢのデータは1枚のＤＶＤディスクには収まらないので、１０個のコンテンツをダビングするためには３枚のＤＶＤに分割的にダビングする必要がある。そのために、(１)〜（１０）まで、１０個あるコンテンツを３つのコンテンツ群に分割する。(１)〜（４）チャプタが１枚目のディスクにダビングされるコンテンツ群（１１０１）としての部分データとなる。また、（５）〜（７）チャプタが２枚目のディスクにダビングされるコンテンツ群（１１０２）としての部分データとなる。さらに、（８）〜（１０）チャプタが３枚目のディスクにダビングされるコンテンツ群（１１０３）としての部分データとなる。ここで、何枚目のディスクにどのコンテンツをダビングするのかという情報を「分割情報」と呼ぶ。
【０１１１】
次に、ステップＳ７１１に進み、分割されたコンテンツ群ごとに、すなわち、分割した記録単位データ群ごとに、前述した代表画生成用データにて印刷画像を生成する。ここでは、選択された１０個のコンテンツにそれぞれ対応する代表画像を作成する。そして、分割的に記録される3枚の記録媒体それぞれのレーベル画像を作成する。各レーベル画像は、各コンテンツのもつ時間情報の順に並べられ、記録媒体に記録する順序を示す番号を合成した代表画像を生成するものとする。
【０１１２】
次に、ステップＳ７１２に進み、分割されたコンテンツ群ごとに分割情報を用いてダイジェスト情報を生成する。ダイジェスト情報はチャプタの各インデックス画からＪＰＥＧ形式のファイルを生成し、ステップＳ７１１において生成したレーベル画像も用いて静止画ファイルを２〜３秒おきに切り替えて順次再生する、いわゆるフォトムービーを作成することで生成する。次に、ステップＳ７１３に進み、ダイジェスト情報を追加記録するコンテンツ群の選択画面を表示部５０５に表示し、ユーザに操作部５０４を用いて選択させる。
【０１１３】
図１２に選択画面の一例を示す。「記録先コンテンツ群選択（１２００）」を表示部５０５に表示し、選択メニュー（１２０１〜１２０３）を表示する。１２０４は選択カーソルであり、ユーザは操作部５０４により選択カーソル１２０４を操作して記録先コンテンツ群を選択する。
【０１１４】
例えば、「予告のみ作成（１２０１）」を選択すると、２枚目のダイジェスト情報（１３１０）を１枚目に記録するコンテンツ群（１１０１）の最後に記録する。また、３枚目のダイジェスト情報（１３１１）を２枚目に記録するコンテンツ群（１１０２）の最後にというように、ｎ枚目のディスクのダイジェスト情報をｎ−１枚目の最後に追加する。図１３（ａ）にこの場合の記録例を示す。
【０１１５】
また、「あらすじのみ作成（１２０２）」を選択した場合は、１枚目のダイジェスト情報（１３２０）を２枚目に記録するコンテンツ群（１１０２）の先頭に記録する。また、２枚目のダイジェスト情報（１３１０）を３枚目に記録するコンテンツ群（１１０３）の先頭にというように、ｎ枚目のディスクのダイジェスト情報をｎ＋１枚目の先頭に追加する。図１３（ｂ）にこの場合の記録例を示す。
【０１１６】
さらに、「あらすじと予告を作成（１２０３）」を選択すると、ｎ枚目のディスクのダイジェスト情報をｎ−１枚目のコンテンツ群の最後と、ｎ＋１枚目のコンテンツ群の先頭に追加する。図１３（ｃ）にこの場合の記録例を示す。
【０１１７】
ステップＳ７１４、ステップＳ７１５ではユーザよりダイジェスト情報を追加するコンテンツ群の選択が終了するまで入力待ち状態となる。そして、ユーザよりダイジェスト情報を追加するコンテンツ群の選択がされたらステップＳ７１６に進む。
【０１１８】
ステップＳ７１６では、ステップＳ７１４で選択されたダイジェスト情報を追加する。その後、ステップＳ７１７に進む。ステップＳ７１７では、ダビングする情報を第２の記録媒体５１０に記録する。
【０１１９】
（第３の実施形態）
図１４は、第３の実施形態を実現するための記録装置のブロック図を示している。図１４は、第２の実施形態で説明した図５のブロック図に対して、第２の記録媒体５１０が外部記録装置１４２１と接続するための接続部１４２０に置きかえられている。
【０１２０】
第３の実施形態においても第２の実施形態と同様に、ダビングに先立ち、ユーザは操作部５０４よりメニューを開き、ダビング時にダビングするコンテンツ群のダイジェスト情報を生成する。そして、関連のある他のコンテンツ群にそのダイジェスト情報を記録するかどうかの設定を行うことが可能である。
【０１２１】
ここで、図１５のフローチャートを用いてダビング時にダビングするコンテンツ群のダイジェスト情報を生成し、関連のある他のコンテンツ群にそのダイジェスト情報を記録する制御の説明をする。
図１５のフローチャートは、第２の実施形態で説明した図７のフローチャートに対して、ステップＳ７００の処理がステップＳ１５００に置き換えられ、ステップＳ７１７の処理がステップＳ１５０１に置き換えられている。
【０１２２】
ステップＳ１５００では、接続部１４２０より外部記録装置１４２１との接続が検出されたら外部記録装置１４２１との認証を行って接続を確立する。外部記録装置１４２１との接続が確立できたらステップＳ７０１へ進む。ステップＳ７０１〜ステップＳ７１６は第２の実施形態で説明したフローチャートと同様である。最後に、ステップＳ１５０１ではダビングする情報を外部記録装置１４２１へ送信する。
【０１２３】
（本発明に係る他の実施の形態）
前述した本発明の実施の形態における記録装置を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【０１２４】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【０１２５】
なお、本発明は、前述した記録方法における各工程を実行するソフトウェアのプログラム（実施の形態では図２Ａ〜、図２Ｃ、図７、図１５に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【０１２６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１２７】
その場合、プログラムの機能を有していれば、オブジェクトコード、インタプリタにより実行されるプログラム、ＯＳに供給するスクリプトデータ等の形態であってもよい。
【０１２８】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１２９】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【０１３０】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１３１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１３２】
また、コンピュータが、読み出したプログラムを実行することによって、前述した実施の形態の機能が実現される他、コンピュータ上で稼動しているＯＳなどが、実際の処理の一部または全部を行うことによっても前述した実施の形態の機能が実現され得る。
【０１３３】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【０１３４】
【図１】本発明の第１の実施形態を示し、静止画像生成方法を実現するための静止画像生成装置の構成例を示すブロック図である。
【図２Ａ】本発明の第１の実施形態を示し、静止画像生成方法を実現するための静止画像生成装置の処理手順の一例を説明するフローチャートである。
【図２Ｂ】本発明の第１の実施形態を示し、静止画像生成方法を実現するための静止画像生成装置の処理手順の一例を説明するフローチャートである。
【図２Ｃ】本発明の第１の実施形態を示し、静止画像生成方法を実現するための静止画像生成装置の処理手順の一例を説明するフローチャートである。
【図３】本発明の第１の実施形態を示し、図１で実現される静止画像生成方法を実現するための静止画像生成装置のＵＩの一部を説明する図である。
【図４】本発明の第１の実施形態を示し、静止画生成装置で生成されるＤＶＤのレーベル面の一例を示す図である。
【図５】本発明の第２の実施形態を示し、記録装置の要部を示すブロック図である。
【図６】本発明の第２の実施形態を示し、ダイジェスト情報記録モードの設定画面の一例を説明する図である。
【図７】本発明の第２の実施形態を示し、ダビング時にダビングするコンテンツ群のダイジェスト情報を生成し、他のコンテンツ群にそのダイジェスト情報を記録する流れを説明するフローチャートである。
【図８】本発明の第２の実施形態を示し、ダビング画像を選択する画面の一例を示す図である。
【図９】本発明の第２の実施形態を示し、記録先メディアの容量の選択画面の一例を示す図である。
【図１０】本発明の第２の実施形態を示し、記録先メディアの容量の選択画面の一例を示す図である。
【図１１】本発明の第２の実施形態を示し、記録先のメディアに収まるように選択された画像を分割してコンテンツ群を生成する様子を説明する図である。
【図１２】本発明の第２の実施形態を示し、選択画面の一例を示す図である。
【図１３】本発明の第２の実施形態を示し、ダイジェスト情報の記録例を示す図である。
【図１４】本発明の第３の実施形態を示し、記録装置の要部を示すブロック図である。
【図１５】本発明の第３の実施形態を示し、ダビング時にダビングするコンテンツ群のダイジェスト情報を生成し、他のコンテンツ群にそのダイジェスト情報を記録する流れを説明するフローチャートである。
【符号の説明】
【０１３５】
１０１  マイコン
１０２  ＬＣＤ
１０３  操作部
１０４  ハードディスク
１０５  ＲＡＭ
１０６  ＡＴＡ
１０７  ＭＰＥＧ回路
１０８  ＪＰＥＧ回路
１０９  画像処理回路
１１０  ＵＳＢ
１１１  ペリフェラル
１１２  Ｄ/Ａ変換器
１１３  プリント部
５００  第１の記録媒体
５０１  再生信号処理部
５０２  ビデオ信号処理部
５０３  操作処理部
５０４  操作部
５０５  表示部
５０６  記録画像処理部
５０７  ダイジェスト情報生成部
５０８  レーベル画像生成部
５０９  記録信号処理部
５１０  第２の記録媒体
５２０  接続部
５２１  外部記録装置
【図１】
0004958819.tif 000002
【図２Ａ】
0004958819.tif 000003
【図２Ｂ】
0004958819.tif 000004
【図２Ｃ】
0004958819.tif 000005
【図３】
0004958819.tif 000006
【図４】
0004958819.tif 000007
【図５】
0004958819.tif 000008
【図６】
0004958819.tif 000009
【図７】
0004958819.tif 000010
【図８】
0004958819.tif 000011
【図９】
0004958819.tif 000012
【図１０】
0004958819.tif 000013
【図１１】
0004958819.tif 000014
【図１２】
0004958819.tif 000015
【図１３】
0004958819.tif 000016
【図１４】
0004958819.tif 000017
【図１５】
0004958819.tif 000018